(57)【特許請求の範囲】
【請求項１】
第１の主面及び第２の主面を有する基板と、
前記基板に実装され、かつ、該基板の法線方向に向かってビームを放射する光源部と、
前記第１の主面と対向する基準面を有しているホルダと、
前記基準面と前記光源部との間隔が所定間隔に保たれるように、前記基板と前記ホルダとが近づく方向に該ホルダ又は該基板を付勢する弾性体と、
前記基板に取り付けられているピンと、
を備えており、
前記基板と前記ホルダとは、突起と穴との嵌合により、前記ビームの光軸に直交する面において位置決めされており、
前記穴は、前記ホルダに設けられており、
前記ピンは、前記突起として機能し、前記穴に挿入されており、
前記ホルダは、前記第２の主面に対向する支持部を含んでおり、
前記弾性体は、前記支持部と前記第２の主面との間に設けられていること、
を特徴とする光源装置。
【請求項２】
主面を有する基板と、
前記基板に実装され、かつ、該基板の法線方向に向かってビームを放射する光源部と、
前記主面と対向する基準面を有しているホルダと、
前記基準面と前記光源部との間隔が所定間隔に保たれるように、前記基板と前記ホルダとが近づく方向に該ホルダ又は該基板を付勢する弾性体と、
前記基板に取り付けられているピンと、
を備えており、
前記基板と前記ホルダとは、突起と穴との嵌合により、前記ビームの光軸に直交する面において位置決めされており、
前記穴は、前記ピンの先端に設けられており、
前記突起は、前記ホルダに設けられていること、
を特徴とする光源装置。
【請求項３】
前記弾性体は、前記ピンに接続され、かつ、前記ホルダに取り付けられていること、
を特徴とする請求項２に記載の光源装置。
【発明の詳細な説明】
【技術分野】
【０００１】
本発明は、光源装置に関し、特に、画像形成装置に用いられる光源装置に関する。
【背景技術】
【０００２】
従来の光源装置としては、例えば、特許文献１に記載の半導体レーザ装置が知られている。図１０は、半導体レーザ装置５００の断面構造図である。
【０００３】
半導体レーザ装置５００は、半導体レーザ５０２、プリント配線基板５０４、光源取り付け部５０６、ねじ５０８ａ，５０８ｂ、支持基台５１０及びボス５１２ａ，５１２ｂを備えている。
【０００４】
半導体レーザ５０２は、ビームを放射し、プリント配線基板５０４上に実装されている。支持基台５１０は、半導体レーザ５０２と光源取り付け部５０６との間に設けられており、半導体レーザ５０２と光源取り付け部５０６との間隔を所定間隔に保っている。ボス５１２ａ，５１２ｂは、プリント配線基板５０４と光源取り付け部５０６との間に設けられており、プリント配線基板５０４と光源取り付け部５０６との間隔を所定間隔に保っている。ねじ５０８ａ，５０８ｂは、プリント配線基板５０４、ボス５１２ａ，５１２ｂ及び光源取り付け部５０６を貫通している。これにより、プリント配線基板５０４と光源取り付け部５０６とが固定されている。
【０００５】
ところで、前記半導体レーザ装置５００では、ビームの進行方向に直交する面において、半導体レーザ５０２が光源取り付け部５０６に対してずれるおそれがある。より詳細には、ねじ５０８ａ，５０８ｂは、光源取り付け部５０６に設けられているねじ孔に取り付けられている。ねじ５０８ａ，５０８ｂ及びねじ孔は、規格で定められた所定の公差を有している。そのため、ねじ５０８ａ，５０８ｂとねじ孔との間には、公差に応じたずれが発生する。ここで、半導体レーザ装置５００において、ねじ５０８ａ，５０８ｂは、ビームの進行方向に直交する面内における半導体レーザ５０２の光源取り付け部５０６に対する位置決めを行っている。そのため、半導体レーザ装置５００では、ビームの進行方向に直交する面において、半導体レーザ５０２が光源取り付け部５０６に対してずれるおそれがある。
【先行技術文献】
【特許文献】
【０００６】
【特許文献１】特開２００４−６５９２号公報
【発明の概要】
【発明が解決しようとする課題】
【０００７】
そこで、本発明の目的は、ビームの進行方向に直交する面において、光源部がホルダに対してずれることを抑制できる光源装置を提供することである。
【課題を解決するための手段】
【０００８】
本発明の第１の形態に係る光源装置は、第１の主面及び第２の主面を有する基板と、前記基板に実装され、かつ、該基板の法線方向に向かってビームを放射する光源部と、前記第１の主面と対向する基準面を有しているホルダと、前記基準面と前記光源部との間隔が所定間隔に保たれるように、前記基板と前記ホルダとが近づく方向に該ホルダ又は該基板を付勢する弾性体と、前記基板に取り付けられているピンと、を備えており、前記基板と前記ホルダとは、突起と穴との嵌合により、前記ビームの光軸に直交する面において位置決めされており、前記穴は、前記ホルダに設けられており、前記ピンは、前記突起として機能し、前記穴に挿入されており、前記ホルダは、前記第２の主面に対向する支持部を含んでおり、前記弾性体は、前記支持部と前記第２の主面との間に設けられていること、を特徴とする。
本発明の第２の形態に係る光源装置は、主面を有する基板と、前記基板に実装され、かつ、該基板の法線方向に向かってビームを放射する光源部と、前記主面と対向する基準面を有しているホルダと、前記基準面と前記光源部との間隔が所定間隔に保たれるように、前記基板と前記ホルダとが近づく方向に該ホルダ又は該基板を付勢する弾性体と、前記基板に取り付けられているピンと、を備えており、前記基板と前記ホルダとは、突起と穴との嵌合により、前記ビームの光軸に直交する面において位置決めされており、前記穴は、前記ピンの先端に設けられており、前記突起は、前記ホルダに設けられていること、を特徴とする。
【発明の効果】
【０００９】
本発明によれば、ビームの進行方向に直交する面において、光源部がホルダに対してずれることを抑制できる。
【図面の簡単な説明】
【００１０】
【図１】本発明の一実施形態に係る光走査装置及び感光体ドラムの外観斜視図である。
【図２】本発明の一実施形態に係る光源装置の分解斜視図である。
【図３】図２の光源装置の断面構造図である。
【図４】第１の変形例に係る光源装置の分解斜視図である。
【図５】第１の変形例に係る光源装置の断面構造図である。
【図６】第２の変形例に係る光源装置の断面構造図である。
【図７】第３の変形例に係る光源装置の断面構造図である。
【図８】第４の変形例に係る光源装置の断面構造図である。
【図９】第５の変形例に係る光源装置の断面構造図である。
【図１０】半導体レーザ装置の断面構造図である。
【発明を実施するための形態】
【００１１】
以下に、本発明の一実施形態に係る光源装置を備えた画像形成装置について図面を参照しながら説明する。
【００１２】
（画像形成装置の構成）
図１は、本発明の一実施形態に係る光走査装置１２及び感光体ドラム１４の外観斜視図である。
【００１３】
画像形成装置１０は、図１に示すように、光走査装置１２及び感光体ドラム１４を備えている。なお、画像形成装置１０は、光走査装置１２及び感光体ドラム１４以外にも、現像装置、定着装置等の構成も備えているが、これらの構成は一般的な光走査装置の現像装置、定着装置等と同じであるので説明を省略する。
【００１４】
光走査装置１２は、光源装置１６、コリメータレンズ１８、シリンドリカルレンズ２０、偏向器２２、走査レンズ２４，２６，２８，３０及び折り返しミラー３２を含んでいる。光源装置１６は、ビームＢを放射する。図１では、図面が煩雑になることを防止するために、ビームＢは１本だけ示してある。
【００１５】
コリメータレンズ１８は、光源装置１６が放射したビームＢを略平行な光に整形する。シリンドリカルレンズ２０は、偏向器２２の反射面において線状となるように、ビームＢを集光する。
【００１６】
偏向器２２は、ポリゴンミラー及びポリゴンミラーを回転させるモーターにより構成され（図１では、モーターは図示せず）、ビームＢを偏向する。走査レンズ２４，２６，２８，３０は、偏向器２２が走査したビームＢを感光体ドラム１４の周面に結像させる。折り返しミラー３２は、走査レンズ３０を透過したビームＢを感光体ドラム１４側へと反射させる。
【００１７】
感光体ドラム１４は、円筒形状をなしており、その周面が図示しない帯電器により帯電させられている。そして、ビームＢが感光体ドラム１４の周面上を主走査方向に繰り返し走査されることにより、感光体ドラム１４の周面には静電潜像が形成される。
【００１８】
（光源装置の構成）
次に、本発明の一実施形態に係る光源装置１６の構成について図面を参照しながら説明する。図２は、本発明の一実施形態に係る光源装置１６の分解斜視図である。図３は、図２の光源装置１６の断面構造図である。
【００１９】
光源装置１６は、図２及び図３に示すように、光源部４０、基板４６、ホルダ４８、スペーサ５０、ピン５２ａ，５２ｂ、ばね５４ａ，５４ｂ及びねじ５６ａ，５６ｂを備えている。
【００２０】
基板４６は、表面及び内部に電気回路が設けられている回路基板であり、図２に示すように、長方形状をなしている。また、基板４６は、実装面（主面）Ｓ１を有している。以下では、基板４６の法線方向をｘ軸方向と定義する。また、ｘ軸方向から平面視したときに、基板４６の長辺が延在している方向をｙ軸方向と定義し、基板４６の短辺が延在している方向をｚ軸方向と定義する。基板４６のｚ軸方向に延在している辺の中点近傍には、後述するねじ５６ａ，５６ｂが取り付けられるための孔ｈ２ａ，ｈ２ｂが設けられている。孔ｈ２ａ，ｈ２ｂの内周面にはねじ山などが形成されていない。
【００２１】
光源部４０は、図２及び図３に示すように、実装面Ｓ１の対角線の交点上に実装され、かつ、実装面Ｓ１の法線方向（すなわち、ｘ軸方向の正方向側）に向かってビームＢを放射する。そして、光源部４０は、図３に示すように、レーザ４２及びパッケージ４４を含んでいる。レーザ４２は、面発光レーザ（ＶＣＳＥＬ）であり、ｘ軸方向の正方向側に向かってビームＢを放射する。パッケージ４４は、レーザ４２を収容しており、表面及び内部にレーザ４２と基板４６とを電気的に接続するための電気回路が設けられている。より詳細には、パッケージ４４は、長方形状の板状部材であり、ｘ軸方向の正方向側の面に凹部が設けられている。レーザ４２は、パッケージ４４の凹部内に実装されている。また、パッケージ４４は、基板４６の実装面Ｓ１上に実装されている。
【００２２】
ホルダ４８は、実装面Ｓ１と対向する基準面Ｓ２を有しており、アルミニウムや樹脂等からなる長方形状のベースである。ホルダ４８の基準面Ｓ２の対角線の交点には、ビームＢが通過するための孔Ｈが設けられている。更に、ホルダ４８のｚ軸方向に延在している辺の中点近傍には、後述するピン５２ａ，５２ｂが通過するための孔ｈ１ａ，ｈ１ｂが設けられている。孔ｈ１ａ，ｈ１ｂの内周面にはねじ山などが形成されていない。
【００２３】
スペーサ５０は、基準面Ｓ２と光源部４０（特に、レーザ４２）との間隔を所定間隔に保つために、基準面Ｓ２と光源部４０との間に挿入されている。スペーサ５０は、例えば、樹脂により構成されている。
【００２４】
ピン５２ａ，５２ｂはそれぞれ、ｘ軸方向の正方向側からホルダの孔ｈ１ａ，ｈ１ｂに挿入されている。より詳細には、ピン５２ａ，５２ｂはそれぞれ、頭部６０ａ，６０ｂ及び軸部６２ａ，６２ｂを含んでいる。頭部６０ａ，６０ｂの直径は、軸部６２ａ，６２ｂの直径よりも大きい。そして、ピン５２ａ，５２ｂは、頭部６０ａ，６０ｂがホルダ４８に関して基板４６の反対側（すなわち、ｘ軸方向の正方向側）に位置するように、孔５２ａ，５２ｂを貫通している。
【００２５】
ここで、ピン５２ａ，５２ｂの直径は、孔ｈ１ａ，ｈ１ｂの直径と一致している。ピン５２ａ，５２ｂの直径の公差及び孔ｈ１ａ，ｈ１ｂの直径の公差はそれぞれ、同サイズの雄ねじの直径の公差及び雌ねじの直径の公差よりも小さい。これにより、ピン５２ａ，５２ｂと孔ｈ１ａ，ｈ１ｂの内周面との間には隙間が殆ど存在していない。
【００２６】
また、ピン５２ａ，５２ｂの軸部６２ａ，６２ｂの先端には、ねじ穴が設けられている。これらのねじ穴はそれぞれ、孔ｈ２ａ，ｈ２ｂと一致している。そこで、ねじ５６ａ，５６ｂはそれぞれ、ｘ軸方向の負方向側から、これらのねじ穴及び孔ｈ２ａ，ｈ２ｂに対して取り付けられている。これにより、ピン５２ａ，５２ｂはそれぞれ、基板４６に取り付けられている。
【００２７】
ばね５４ａ，５４ｂはそれぞれ、基準面Ｓ２と光源部４０との間隔が所定間隔に保たれるように、基板４６とホルダ４８とが近づく方向にホルダ４８を基板４６に対して付勢する弾性体である。より詳細には、ばね５４ａ，５４ｂはそれぞれ、コイルばねであり、頭部６０ａ，６０ｂとホルダ４８との間に設けられている。すなわち、ピン５２ａ，５２ｂの軸部６２ａ，６２ｂがばね５４ａ，５４ｂ内を通過している。これにより、ばね５４ａ，５４ｂは、ホルダ４８をｘ軸方向の負方向側に押すと共に、ピン５２ａ，５２ｂをｘ軸方向の正方向側に押す。その結果、基板４６とホルダ４８とが近づく方向に力を受けるようになる。そして、実装面Ｓ１と基準面Ｓ２との間隔は、スペーサ５０の厚みにより定まる所定間隔に保たれている。
【００２８】
以上のように構成された光源装置１６では、基板４６とホルダ４８とは、突起と穴との嵌合により、ビームＢの光軸に直交する方向する面（すなわち、ｙｚ平面）において位置決めされている。より詳細には、ピン５２ａ，５２ｂが、ホルダ４８の所定位置に設けられている孔ｈ１ａ，ｈ１ｂに挿入され、ねじ５６ａ，５６ｂにより基板４６の所定位置（孔ｈ２ａ，ｈ２ｂ）に固定されている。これにより、ピン５２ａ，５２ｂは突起として機能している。ホルダ４８の孔ｈ１ａ，ｈ１ｂは孔として機能している。
【００２９】
（効果）
前記光源装置１６によれば、ビームＢの進行方向に直交する面において、光源部４０がホルダ４８に対してずれることを抑制できる。より詳細には、ねじ５０８ａ，５０８ｂは、光源取り付け部５０６に設けられているねじ孔に取り付けられている。ねじ５０８ａ，５０８ｂ及びねじ孔は、規格で定められた所定の公差を有している。そのため、ねじ５０８ａ，５０８ｂとねじ孔との間には、公差に応じたずれが発生する。ここで、半導体レーザ装置５００において、ねじ５０８ａ，５０８ｂは、ビームの進行方向に直交する面内における半導体レーザ５０２の光源取り付け部５０６に対する位置決めを行っている。そのため、半導体レーザ装置５００では、ビームの進行方向に直交する面において、半導体レーザ５０２が光源取り付け部５０６に対してずれるおそれがある。
【００３０】
一方、光源装置１６では、基板４６とホルダ４８とは、ビームＢの進行方向に直交する面（すなわち、ｙｚ平面）において、ピン５２ａ，５２ｂにより位置決めされている。すなわち、光源部４０とホルダ４８とは、ｙｚ平面において、ピン５２ａ，５２ｂにより位置決めされている。ピン５２ａ，５２ｂ及び孔ｈ１ａ，ｈ１ｂにはねじ山が形成されていない。そのため、ピン５２ａ，５２ｂの直径及び孔ｈ１ａ，ｈ１ｂの直径の公差を、ねじ５０８ａ，５０８ｂの直径及びねじ孔の直径の公差よりも小さく設計できる。そのため、ピン５２ａ，５２ｂがホルダ４８に対してずれる量は、半導体レーザ５０２が光源取り付け部５０６に対してずれる量よりも小さい。よって、光源装置１６によれば、ビームＢの進行方向に直交する面において、光源部４０がホルダ４８に対してずれることを抑制できる。その結果、基板４６及びホルダ４８に熱膨張や吸湿による歪等が発生しても、光源部４０がホルダ４８に対してずれることを抑制できる。
【００３１】
（第１の変形例）
以下に、第１の変形例に係る光源装置について図面を参照しながら説明する。図４は、第１の変形例に係る光源装置１６ａの分解斜視図である。図５は、第１の変形例に係る光源装置１６ａの断面構造図である。
【００３２】
光源装置１６と光源装置１６ａとの相違点は、ばね５４ａ，５４ｂ，５４の位置である。より詳細には、光源装置１６では、ばね５４ａ，５４ｂは、頭部６０ａ，６０ｂとホルダ４８との間に設けられている。一方、光源装置１６ａでは、基板４６とホルダ４８との間に設けられている。以下に、かかる相違点についてより詳細に説明する。
【００３３】
ホルダ４８は、図４及び図５に示すように、本体４８ａ及び支持部４８ｂを有している。本体４８ａは、長方形状をなしている。支持部４８ｂは、ｙ軸方向から平面視したときにＬ字型をなしており、本体４８ａからｘ軸方向の負方向側に延在し、かつ、ｚ軸方向の負方向側に折れ曲がった形状をなしている。すなわち、支持部４８ｂは、図５に示すように、基板４６の実装面Ｓ１の反対側の面（以下、裏面Ｓ３と称す）と対向している。そして、ばね５４は、支持部４８ｂと裏面Ｓ３との間に設けられている。これにより、ばね５４は、ホルダ４８の支持部４８ｂをｘ軸方向の負方向側に押すと共に、基板４６をｘ軸方向の正方向側に押す。その結果、基板４６とホルダ４８とが近づく方向に力を受けるようになる。そして、実装面Ｓ１と基準面Ｓ２との間隔は、スペーサ５０の厚みにより定まる所定間隔に保たれている。
【００３４】
以上のように構成されている光源装置１６ａも、光源装置１６と同様に、ビームＢの進行方向に直交する面において、光源部４０がホルダ４８に対してずれることを抑制できる。
【００３５】
（第２の変形例）
以下に、第２の変形例に係る光源装置について図面を参照しながら説明する。図６は、第２の変形例に係る光源装置１６ｂの断面構造図である。
【００３６】
光源装置１６ａと光源装置１６ｂとの相違点は、ピン５２ａ，５２ｂ及びホルダ４８の形状である。より詳細には、光源装置１６ａのホルダ４８には孔ｈ１ａ，ｈ１ｂが設けられている。一方、光源装置１６ｂのホルダ４８には筒状部４８ｃ，４８ｄが設けられている。そして、光源装置１６ｂのピン５２ａ，５２ｂは、光源装置１６ａのピン５２ａ，５２ｂよりも短い。以下に、かかる相違点についてより詳細に説明する。
【００３７】
光源装置１６ｂの筒状部４８ｃ，４８ｄはそれぞれ、光源装置１６ａの孔ｈ１ａ，ｈ１ｂが設けられている位置に、ｘ軸方向の負方向側に突出するように設けられている。そして、ピン５２ａ，５２ｂはそれぞれ、筒状部４８ｃ，４８ｄの穴に挿入されている。
【００３８】
以上のように構成されている光源装置１６ｂも、光源装置１６と同様に、ビームＢの進行方向に直交する面において、光源部４０がホルダ４８に対してずれることを抑制できる。
【００３９】
（第３の変形例）
以下に、第３の変形例に係る光源装置について図面を参照しながら説明する。図７は、第３の変形例に係る光源装置１６ｃの断面構造図である。
【００４０】
光源装置１６ｂと光源装置１６ｃとの相違点は、ピン５２ａ，５２ｂ及びホルダ４８の形状である。より詳細には、光源装置１６ｂのホルダ４８には筒状部４８ｃ，４８ｄが設けられている。そして、光源装置１６ｂでは、筒状部４８ｃ，４８ｄにピン５２ａ，５２ｂが挿入されている。一方、光源装置１６ｃのホルダ４８には突起４８ｅ，４８ｆが設けられている。そして、光源装置１６ｃのピン５２ａ，５２ｂの先端にはそれぞれ、穴ｈ３ａ，ｈ３ｂが設けられている。以下に、かかる相違点についてより詳細に説明する。
【００４１】
光源装置１６ｃの突起４８ｅ，４８ｆはそれぞれ、光源装置１６ｂの筒状部４８ｃ，４８ｄが設けられている位置に、ｘ軸方向の負方向側に突出するように設けられている。そして、ピン５２ａ，５２ｂの先端にはそれぞれ、穴ｈ３ａ，ｈ３ｂが設けられている。突起４８ｅ，４８ｆはそれぞれ、穴ｈ３ａ，ｈ３ｂに挿入されている。
【００４２】
以上のように構成されている光源装置１６ｃも、光源装置１６と同様に、ビームＢの進行方向に直交する面において、光源部４０がホルダ４８に対してずれることを抑制できる。
【００４３】
（第４の変形例）
以下に、第４の変形例に係る光源装置について図面を参照しながら説明する。図８は、第４の変形例に係る光源装置１６ｄの断面構造図である。
【００４４】
光源装置１６ｃと光源装置１６ｄとの相違点は、ばね５４の代わりに弾性部材７０ａ，７０ｂが設けられている点である。より詳細には、弾性部材７０ａ，７０ｂはそれぞれ、樹脂等の弾性材料により構成されており、ピン５２ａ，５２ｂに接続されている。そして、弾性部材７０ａ，７０ｂは、ねじ７２ａ，７２ｂによりホルダ４８に取り付けられている。
【００４５】
ここで、ピン５２ａ，５２ｂの穴ｈ３ａ，ｈ３ｂの深さは、突起４８ｅ，４８ｆの高さよりも小さい。そのため、弾性部材７０ａ，７０ｂは、ねじ７２ａ，７２ｂによりホルダ４８に取り付けられると、伸ばされる方向に力を受けるので縮もうとする。これにより、基板４６とホルダ４８とが近づく方向に力を受けるようになる。
【００４６】
以上のように構成されている光源装置１６ｄも、光源装置１６と同様に、ビームＢの進行方向に直交する面において、光源部４０がホルダ４８に対してずれることを抑制できる。
【００４７】
（第５の変形例）
以下に、第５の変形例に係る光源装置について図面を参照しながら説明する。図９は、第５の変形例に係る光源装置１６ｅの断面構造図である。
【００４８】
光源装置１６ａと光源装置１６ｅとの相違点は、光源部４０が設けられている位置である。より詳細には、光源装置１６ｅでは、実装面Ｓ１は、基準面Ｓ２と対向していない。その代わり、裏面（主面）Ｓ３が、基準面Ｓ２と対向している。これにより、光源部４０は、ｘ軸方向の負方向側に向かってビームＢを放射するようになる。
【００４９】
以上のように構成されている光源装置１６ｅも、光源装置１６と同様に、ビームＢの進行方向に直交する面において、光源部４０がホルダ４８に対してずれることを抑制できる。
【産業上の利用可能性】
【００５０】
本発明は、光源装置に有用であり、特に、ビームの進行方向に直交する面において、光源部がホルダに対してずれることを抑制できる点において優れている。
【符号の説明】
【００５１】
Ｓ１ 実装面
Ｓ２ 基準面
Ｓ３  裏面
ｈ１ａ，ｈ１ｂ，ｈ２ａ，ｈ２ｂ  孔
ｈ３ａ，ｈ３ｂ  穴
１０  画像形成装置
１２  光走査装置
１４  感光体ドラム
１６，１６ａ，１６ｂ，１６ｃ，１６ｄ，１６ｅ  光源装置
４０  光源部
４２  レーザ
４４  パッケージ
４６  基板
４８  ホルダ
４８ａ  本体
４８ｂ  支持部
４８ｃ，４８ｄ  筒状部
４８ｅ，４８ｆ  突起
５０  スペーサ
５２ａ，５２ｂ  ピン
５４，５４ａ，５４ｂ  ばね
５６ａ，５６ｂ  ねじ
６０ａ，６０ｂ  頭部
６２ａ，６２ｂ  軸部
７０ａ，７０ｂ  弾性部材
７２ａ，７２ｂ  ねじ
【図１】
0005521968.tif 000002
【図２】
0005521968.tif 000003
【図３】
0005521968.tif 000004
【図４】
0005521968.tif 000005
【図５】
0005521968.tif 000006
【図６】
0005521968.tif 000007
【図７】
0005521968.tif 000008
【図８】
0005521968.tif 000009
【図９】
0005521968.tif 000010
【図１０】
0005521968.tif 000011